(57)【要約】【課題】他の機器と通信を行う機能部を停止させながらも連動機能を実現する電子機器を提供する。【解決手段】オーディオ装置１は、ＨＤＭＩデバイス１１を停止させ、マイコン１４がスリープ状態となるモードを実施する。例えば、ユーザがリモコン１ＡやＵＩ１６を操作して、スリープモードに移行する指示を行うと、マイコン１４は、ＨＤＭＩデバイス１１への電源供給を遮断し、自身はスリープ状態に移行する。そして、オーディオ装置１は、ＵＩ１６で何らかの操作を受け付けた場合、または他の機器用のリモコン（リモコン２Ａまたはリモコン３Ａ）でユーザが何らかの操作を行った場合、マイコン１４がスリープ状態から復帰し、ＨＤＭＩデバイス１１を起動させる。【選択図】図５
2012151700.tif 000002
【特許請求の範囲】
【請求項１】
他の機器と通信を行う通信機能部と、
他の機器に対する指示信号を含むリモコン信号を受信するリモコン信号受信部と、
所定のタイミングで前記通信機能部への電源供給を停止させる制御部と、
を備えた電子機器であって、
前記制御部は、前記通信機能部への電源供給を停止させた状態において、前記リモコン信号受信部が前記リモコン信号を受信したとき、前記通信機能部への電源供給を行い、前記通信機能を起動させることを特徴とする電子機器。
【請求項２】
前記制御部は、前記リモコン信号受信部によるリモコン信号の受信以外の動作を停止する状態であるスリープ状態に前記所定のタイミングで移行し、前記リモコン信号受信部が前記リモコン信号を受信したとき、前記スリープ状態から復帰して前記通信機能部への電源供給を行い、前記通信機能部を起動させる請求項１に記載の電子機器。
【請求項３】
前記制御部は、所定時間経過後も前記通信機能部を介して他の機器から通信がなされなければ前記通信機能部への電源供給を停止させる請求項１または請求項２に記載の電子機器。
【請求項４】
機能停止時間を指定するタイマを備え、
前記通信機能部は、前記タイマの指定する機能停止時間に停止し、
前記制御部は、前記タイマの指定する機能停止時間に前記通信機能部への電源供給を停止させる請求項１乃至請求項３のいずれかに記載の電子機器。
【請求項５】
ユーザの操作を受け付けるユーザインタフェースを備え、
前記制御部は、前記通信機能部への電源供給を停止させた状態において、前記ユーザインタフェースがユーザの操作を受け付けたとき、前記通信機能部への電源供給を行い、前記通信機能部を起動させる請求項１乃至請求項４のいずれかに記載の電子機器。
【請求項６】
前記通信機能部は、ＨＤＭＩ−ＣＥＣコマンドを受信する機能部であり、
前記制御部は、所定時間経過前に前記ＨＤＭＩ−ＣＥＣコマンドを受信しない場合に前記通信機能部への電源供給を停止させる請求項１乃至請求項５のいずれかに記載の電子機器。
【請求項７】
前記通信機能部は、他の機器から受信した信号をさらに他の機器に転送するスルー機能を備えた機能部であり、
前記制御部は、所定時間経過前に前記通信機能部を介して前記スルー機能をオンする信号を受信しない場合に前記通信機能部への電源供給を停止させる請求項１乃至請求項６のいずれかに記載の電子機器。
【発明の詳細な説明】
【技術分野】
【０００１】
この発明は、電子機器に関し、特に電源状態の制御に関するものである。
【背景技術】
【０００２】
近年の電子機器では、機器間の連動機能が実現されているものが多い。例えば、ＨＤＭＩ（High Definition Multimedia Interface）ケーブルを介して接続された他の機器で電源がオンされると、当該他の電子機器からＨＤＭＩ−ＣＥＣ（High Definition Multimedia Interface Consumer Electronics Control）のコマンドに準じた電源オンのコマンドが送信されるため、他の機器の電源オンに連動して、自装置の機器をスタンバイ状態から電源オン状態に移行させることができる（特許文献１を参照）。
【先行技術文献】
【特許文献】
【０００３】
【特許文献１】特開２０１０−４５４５０号公報
【発明の概要】
【発明が解決しようとする課題】
【０００４】
しかし、上記の電源連動機能を実現するためには、自装置がスタンバイ状態においても他の機器と通信を行う機能部（特許文献１の装置であれば、ＨＤＭＩ送信部１２９やスタンバイマイコン１３１）は起動していなければならなかった。例えば、ＨＤＭＩ関連の機能部を起動させておくためには、数Ｗから数十Ｗ程度の電力が必要になり、省電力を実現することができなかった。
【０００５】
そこで、本発明は、他の機器と通信を行う機能部を停止させながらも連動機能を実現する電子機器を提供することを目的とする。
【課題を解決するための手段】
【０００６】
本発明の電子機器は、他の機器と通信を行う通信機能部と、他の機器に対する指示信号を含むリモコン信号を受信するリモコン信号受信部と、前記通信機能部の起動を制御し、所定のタイミングで前記通信機能部への電源供給を停止させる制御部と、を備えている。
【０００７】
そして、制御部は、前記通信機能部への電源供給を停止させた状態において、前記リモコン信号受信部が前記リモコン信号を受信したとき、前記通信機能部への電源供給を行い、前記通信機能を起動させることを特徴とする。
【０００８】
このように、本発明の電子機器は、他の機器用のリモコン信号に反応してマイコンに割り込みをかけ、通信機能部（ＨＤＭＩ関連の機能部）を起動させる。例えば、ユーザがテレビのリモコンを操作してテレビの電源をオンすると、本発明の電子機器におけるＨＤＭＩ関連の機能部も起動する。よって、その後、テレビから送信されるＣＥＣコマンド（例えば電源オンのコマンド）に応じた動作を行ったり、ＨＭＤＩにおけるスタンバイスルー動作を行うことも可能となる。
【０００９】
以上のように、本発明の電子機器では、ＨＤＭＩ関連の機能部を完全に停止させた状態とし、非常に低い消費電力（例えば１Ｗ以下）の状態となった場合であっても、他の機器との連動機能を実現することができる。
【００１０】
また、通信機能部への電源供給を停止させるタイミングで、制御部自身も低い消費電力の状態（例えば、リモコン信号の受信以外の動作を停止する状態）に移行し、装置全体としてさらに低い消費電力状態に移行する態様としてもよい。
【００１１】
なお、所定時間経過後も通信機能部を介して他の機器から通信がなされなければ、再度通信機能部を停止させることが望ましい。例えば、所定時間経過してもＨＤＭＩ−ＣＥＣコマンドを受信しない場合や、スタンバイスルー関連の信号を受信しない場合に停止させる。
【００１２】
また、通信機能部を停止させるタイミングは、ユーザが手動で指定してもよいが、タイマにより予め時間帯（例えば深夜時間帯等）を指定しておき、指定された時間帯になった時点で移行してもよい。
【００１３】
なお、他の機器のリモコンを操作したときに復帰するだけでなく、装置本体に設けられたユーザインタフェース（音量ボタン等）を操作した場合も、通信機能部を復帰させるようにしてもよい。特に、自装置がオーディオ装置であれば、他の機器を同時に使用する可能性が高いため、自装置のユーザインタフェースが操作された場合も通信機能部を復帰させ、連係動作に備えることが望ましい。
【発明の効果】
【００１４】
この発明によれば、他の機器と通信を行う機能部を停止させながらも連動機能を実現することができる。
【図面の簡単な説明】
【００１５】
【図１】ＡＶシステムの構成を示すブロック図である。
【図２】オーディオ装置１の主要構成を示すブロック図である。
【図３】プレーヤ２の主要構成を示すブロック図である。
【図４】テレビ３の主要構成を示すブロック図である。
【図５】オーディオ装置１の動作を示すフローチャートである。
【発明を実施するための形態】
【００１６】
図１は、本発明の電子機器を備えたＡＶシステムの構成を示すブロック図である。本実施形態のＡＶシステムは、本発明の電子機器に相当するオーディオ装置１と、当該オーディオ装置１に接続されるプレーヤ２およびテレビ３を備えている。各機器には、それぞれ専用のリモコンが設けられている。例えば、オーディオ装置１には、リモコン１Ａが設けられ、プレーヤ２には、リモコン２Ａが設けられ、テレビ３には、リモコン３Ａが設けられている。
【００１７】
プレーヤ２は、ＨＤＭＩケーブルを介してオーディオ装置１に接続されている。同様に、テレビ３は、ＨＤＭＩケーブルを介してオーディオ装置１に接続されている。なお、図１においては省略しているが、プレーヤ２のＨＤＭＩ出力端子とオーディオ装置１のＨＤＭＩ入力端子が接続され、テレビ３のＨＤＭＩ入力端子とオーディオ装置１のＨＤＭＩ出力端子が接続されている。この様に複数の電子機器をＨＭＤＩケーブルを介して接続することにより構成されるＡＶシステムでは、例えば以下の様な動作を実現することが可能である。
【００１８】
まず、基本動作として、全ての機器が起動している場合、プレーヤ２で再生したコンテンツの映像データや音声データは、オーディオ装置１に出力され、オーディオ装置１に接続されたスピーカ（図示せず）から音声が出力される。プレーヤ２からオーディオ装置１に出力された映像データは、テレビ３に出力され、テレビ３から映像が表示される。また、オーディオリターンチャンネルに対応している場合、テレビ３にて受信した放送等の音声データをオーディオ装置１へ出力し、出力された音声データをオーディオ装置１に接続されたスピーカから出力することも可能である。
【００１９】
また、各機器がＨＤＭＩ−ＣＥＣコマンドに対応している場合、ＨＤＭＩ−ＣＥＣに準じたコマンドを相互に送受信して、各機器が受信したコマンドに応じた動作を行い、連動機能を実現することが可能である。例えば、ユーザがリモコン３Ａを操作してテレビ３の電源ボタンをオンにすると、テレビ３からオーディオ装置１に電源オンのコマンドが送信され、オーディオ装置１がスタンバイ状態から電源オン状態に移行する。なお、ここで言うスタンバイ状態とは、ＨＤＭＩ関連の機能部以外の電源供給が遮断された状態であり、電源オン状態とは、全ての機能部に電源が供給された状態である。
【００２０】
また、オーディオ装置１は、以下の様なスタンバイスルー機能も備えている。すなわち、オーディオ装置１は、スタンバイ状態となった場合であっても、プレーヤ２で再生したコンテンツの映像データや音声データをテレビ３に転送（スルー）し、テレビ３から映像および音声を出力させることが可能である。なお、オーディオ装置１は、ユーザの手動操作に応じてスタンバイスルー機能をオンすることも可能であるし、他の機器（プレーヤ２やテレビ３）からスタンバイスルーをオンするコマンドを受信することで、スタンバイスルー状態に移行することも可能である。なお、オーディオ装置１に複数のＨＤＭＩ端子が設けられている場合、どのＨＤＭＩ端子からどのＨＤＭＩ端子にデータを転送するかを予め設定しておくものとする。
【００２１】
ただし、上記のように、オーディオ装置１が連動動作を行う、あるいはスタンバイスルー動作を行うためには、ＨＤＭＩ関連の機能部が起動していなければならず、数Ｗから数十Ｗ程度の電力が必要になり、省電力を実現することができない。そこで、本実施形態のオーディオ装置１は、ＨＤＭＩ関連の機能部が停止している状態でありながら、ＣＥＣコマンドを受信して連動動作を行う、あるいはスタンバイスルー状態に移行する機能を実現する。
【００２２】
以下、各種機器の構成および動作について説明する。図２は、オーディオ装置１の主要構成を示すブロック図である。同図においては、オーディオ関連の機能部は省略し、主にＨＤＭＩ関連の機能部のみ図示する。図３は、プレーヤ２の主要構成を示すブロック図である。同図においても、コンテンツ再生関連の機能部は省略し、主にＨＤＭＩ関連の機能部のみ図示する。図４は、テレビ３の主要構成を示すブロック図である。同図においても、映像表示、音声出力関連の機能部は省略し、主にＨＤＭＩ関連の機能部のみ図示する。
【００２３】
まず、オーディオ装置１は、本発明の通信機能部に相当するＨＤＭＩデバイス１１、入力端子であるＨＤＭＩインタフェース（Ｉ／Ｆ）１２、出力端子であるＨＤＭＩＩ／Ｆ１３、制御部に相当するマイコン１４、時計機能を有するタイマ１５、ユーザの操作を受け付けるユーザインタフェース（ＵＩ）１６、およびリモコン信号を受信するリモコン信号受信部１７を備えている。
【００２４】
また、プレーヤ２は、ＨＤＭＩデバイス２１、出力端子であるＨＤＭＩＩ／Ｆ２２、マイコン２３、ＵＩ２４、およびリモコン信号受信部２５を備えている。テレビ３は、ＨＤＭＩデバイス３１、入力端子であるＨＤＭＩＩ／Ｆ３２、マイコン３３、ＵＩ３４、およびリモコン信号受信部３５を備えている。
【００２５】
プレーヤ２で再生されたコンテンツの映像データおよび音声データは、ＨＤＭＩデバイス２１から出力され、ＨＤＭＩＩ／Ｆ２２およびＨＤＭＩＩ／Ｆ１２を介してＨＤＭＩデバイス１１に入力される。ＨＤＭＩデバイス１１に入力された映像データは、ＨＤＭＩＩ／Ｆ１３およびＨＤＭＩＩ／Ｆ３２を介してテレビ３のＨＤＭＩデバイス３１に出力される。ＨＤＭＩデバイス３１に出力された映像データは、テレビ３の映像表示機能によって映像として出力される。また、ＨＤＭＩデバイス１１に入力された音声データは、オーディオ装置１のオーディオ関連機能によってオーディオ装置１に接続された図示しないスピーカから音声として出力されたり、スタンバイスルー機能によってテレビ３にスルーされたりする。なお、テレビ３は、オーディオリターンチャンネルを用いてＨＤＭＩデバイス１１に音声データを出力することも可能である。
【００２６】
また、各機器は、ＨＤＭＩ−ＣＥＣに準じたコマンドを相互に送受信する。例えば、プレーヤ２は、リモコン２Ａから電源オンを指示するリモコン信号を受信したとき、マイコン２３が自装置の起動に伴って、ＨＤＭＩデバイス２１を制御し、他の機器の電源オンを指示するコマンドをＨＤＭＩＩ／Ｆ２２に出力する。電源オンを指示するコマンドは、ＨＤＭＩＩ／Ｆ１２を介してオーディオ装置１のＨＤＭＩデバイス１１に出力される。ＨＤＭＩデバイス１１は、入力された電源オンを指示するコマンドをマイコン１４に出力する。マイコン１４は、入力した電源オンを指示するコマンドに応じて自装置をスタンバイ状態から電源オン状態に移行させる。
【００２７】
さらに、オーディオ装置１がスタンバイスルー機能を設定している場合、プレーヤ２から出力された映像データおよび音声データは、ＨＤＭＩデバイス１１からテレビ３にスルーされる。
【００２８】
また、オーディオ装置１は、基本動作として、リモコン１Ａから出力されるリモコン信号（ＩＲやＲＦ等に準じたもの）をリモコン信号受信部１７で受信する。マイコン１４は、リモコン信号受信部１７で受信したリモコン信号に応じてユーザの操作を受け付け、種々の動作を行う。また、マイコン１４は、ＵＩ１６で受け付けた操作に応じた動作を行う。例えば、オーディオ装置１が起動している間に、リモコン１ＡやＵＩ１６の電源ボタンが押下されると、マイコン１４は、電源オン状態からスタンバイ状態に移行させる。
【００２９】
同様に、プレーヤ２は、リモコン２Ａから出力されるリモコン信号をリモコン信号受信部２５で受信する。マイコン２３は、リモコン信号受信部２５で受信したリモコン信号に応じてユーザの操作を受け付け、種々の動作を行う。また、マイコン２３は、ＵＩ２４で受け付けた操作に応じた動作を行う。テレビ３は、リモコン３Ａから出力されるリモコン信号をリモコン信号受信部３５で受信する。マイコン３３は、リモコン信号受信部３５で受信したリモコン信号に応じてユーザの操作を受け付け、種々の動作を行う。また、マイコン３３は、ＵＩ３４で受け付けた操作に応じた動作を行う。
【００３０】
ここで、本実施形態のオーディオ装置１は、電源オン状態、スタンバイ状態、電源オフ状態（全ての機能部の電源供給が遮断された状態）に加え、さらにＨＤＭＩデバイス１１を停止させ、マイコン１４がスリープ状態となるモード（以下、スリープモードと言う。）を実施する。なお、ここで言うスリープ状態とは、例えば、マイコン１４がＵＩ１６あるいはリモコン信号受信部３５からの信号受信（割り込み）以外の動作を停止する状態である。例えば、マイコン１４に内蔵されている各種機能部（図示しない内蔵ＲＡＭ等）の一部あるいはほとんどの機能部への電源供給を遮断して、リモコン信号受信部１７によるリモコン信号の受信以外の動作を停止する。
【００３１】
マイコン１４は、例えば、ユーザがリモコン１ＡやＵＩ１６を操作して、スリープモードに移行する指示を行うと、ＨＤＭＩデバイス１１への電源供給を遮断し、自身はスリープ状態に移行する（スリープモードに移行する）。また、オーディオ装置１は、タイマ１５を備えているため、ユーザが予め機能停止時間を設定しておけば、この機能停止時間に該当した場合にＨＤＭＩデバイス１１を停止させ、マイコン１４がスリープ状態となる（スリープモードに移行する）。
【００３２】
そして、オーディオ装置１は、ＵＩ１６で何らかの操作を受け付けた場合、または他の機器用のリモコン（リモコン２Ａまたはリモコン３Ａ）でユーザが何らかの操作を行った場合、スリープモードからスタンバイ状態へ移行する。すなわち、マイコン１４がスリープ状態から復帰し、マイコン１４がＨＤＭＩデバイス１１を起動させる。このため、その後、他の機器から送信されるＨＤＭＩ−ＣＥＣコマンドに応じた動作を行うことが可能であるし、スタンバイスルー関連の信号（映像データや音声データ）が送信された場合に当該信号をスルーすることが可能である。
【００３３】
図５を参照して上記オーディオ装置１の動作を説明する。図５は、オーディオ装置１の動作を示すフローチャートである。オーディオ装置１は、起動中にユーザがリモコン１ＡやＵＩ１６の電源ボタンを押下するとこの動作を開始する。まず、オーディオ装置１は、スタンバイ状態に移行する（ｓ１１）。スタンバイ状態では、ＨＤＭＩデバイス１１以外の機能部への電源供給が遮断される。
【００３４】
その後、タイマ１５が指定する機能停止時間に該当するか否かを確認する（ｓ１２）。あるいは、ユーザがリモコン１ＡやＵＩ１６を用いてスリープモードに移行する指示を行ったか否かを確認する。機能停止時間に該当する場合、マイコン１４は、ＨＤＭＩデバイス１１への電源供給を遮断し、自身はスリープ状態に移行する（ｓ１３）。すなわち、オーディオ装置１は、スリープモードに移行する。その後、リモコン信号が受信されるまで待機する（ｓ１４）。リモコン１Ａ、リモコン２Ａ、またはリモコン３Ａからリモコン信号が送信された場合、リモコン信号受信部１７は、リモコン信号を受信し、マイコン１４に割り込みを行う。なお、リモコン信号受信部１７は、どの様な規格の信号であっても、何らかの信号が受信された場合に割り込みを行う。例えば、リモコン信号がＩＲに対応したものである場合、ＮＥＣフォーマット等の特定のフォーマットに限らず、全てのＩＲ信号に反応して割り込みを行うものとする。これにより、マイコン１４は、スリープ状態から復帰し、ＨＤＭＩデバイス１１を起動させる（ｓ１５）。すなわち、オーディオ装置１は、スタンバイ状態に移行する。
【００３５】
その後、オーディオ装置１は、他の機器からＨＤＭＩ−ＣＥＣコマンドが受信されるか否かを確認する（ｓ１６）。ＨＤＭＩ−ＣＥＣコマンドが受信された場合、受信したコマンドに対応する動作を行う。例えば、電源オンを指示するコマンドを受信した場合に自装置の他の機能部に電源供給を行い、電源オン状態に移行する。
【００３６】
一方、オーディオ装置１は、ＨＤＭＩ−ＣＥＣコマンドが受信されない場合、スタンバイスルー関連の信号が受信されるか否かを確認する（ｓ１７）。スタンバイスルー関連の信号が受信された場合、スタンバイスルー動作を行う。例えば、プレーヤ２から映像データおよび音声データが送信された場合、ＨＤＭＩデバイス１１は、テレビ３に当該映像データおよび音声データをスルーする。
【００３７】
なお、一般的に、プレーヤ２やテレビ３が起動してＨＤＭＩ−ＣＥＣコマンドを送信するまでの時間は、マイコン１４の復帰およびＨＤＭＩデバイス１１の起動するまでの時間よりも長くなるため、ＨＤＭＩ−ＣＥＣコマンドが送信される前にＨＤＭＩデバイス１１を起動させておくことが可能である。ただし、プレーヤ２やテレビ３が、定期的に他の機器を監視する信号（ＨＤＭＩ−ＣＥＣコマンドに準じたもの）を送信する場合、仮にプレーヤ２やテレビ３の起動がＨＤＭＩデバイス１１の起動よりも早くなったとしても、連動機能を実現することは可能である。例えば、プレーヤ２やテレビ３が、最初に電源オンのコマンドをオーディオ装置１に送信した後、所定時間（例えば１分）経過後にオーディオ装置１に監視信号を送信する。オーディオ装置１が起動していればプレーヤ２やテレビ３に応答信号を送信するが、応答がなければプレーヤ２やテレビ３が再度電源オンのコマンドをオーディオ１に送信する。あるいは、オーディオ装置１がｓ１７の処理の後に、プレーヤ２およびテレビ３に問い合わせ信号（ＨＤＭＩ−ＣＥＣコマンドに準じたもの）を送信してもよい。仮に先にプレーヤ２またはテレビ３が起動してればこの問い合わせ信号に対する返答がなされるため、電源オンのコマンドを再送させることも可能である。これにより、確実に連動機能を実現することが可能となる。
【００３８】
その後、オーディオ装置１は、所定時間（例えば１分等）が経過したか否かを確認し（ｓ１８）、所定時間が経過するまでは、ＨＤＭＩ−ＣＥＣコマンドが受信されるか、スタンバイスルー関連の信号が受信されるか否かを確認する。所定時間経過してもＨＤＭＩ−ＣＥＣコマンドおよびスタンバイスルー関連の信号が受信されない場合、再びｓ１２の処理に戻りスリープモードを実施する。これにより、プレーヤ２やテレビ３以外の機器のリモコンが操作された場合に、速やかにスリープモードに移行し、低消費電力状態に移行することができる。
【００３９】
なお、図５に示した動作を行っている途中でユーザがリモコン１ＡやＵＩ１６を操作して電源オンの指示を行った場合、全ての機能部への電源供給が開始され、電源オン状態に移行する。また、ｓ１２〜ｓ１８の処理中にタイマ１５が機能停止時間を外れた場合、スタンバイ状態に移行する。
【００４０】
以上のようにして、本実施形態のオーディオ装置１は、他の機器用のリモコン信号に反応してマイコン１４に割り込みをかけ、ＨＤＭＩデバイス１１を起動させることにより、電源オフ状態に近い消費電力状態（例えば１Ｗ程度）であっても機器間の連動機能を実現することができる。
【００４１】
なお、本実施形態では、スリープモードとして、マイコン１４がＨＤＭＩデバイス１１への電源供給を停止させるとともに、自身はスリープ状態に移行する例を示したが、ＨＤＭＩデバイス１１への電源供給を停止させるだけで、マイコン１４はスリープ状態に移行しない態様としてもよい。
【００４２】
なお、本実施形態では、電子機器の例としてオーディオ装置を示したが、無論、他の電子機器であってもよい。また、機器間を接続する規格は、ＨＤＭＩに限らず、他の機器との通信を行う機能（ＲＳ−２３２ＣやＵＳＢ等）を有するものであれば、どの様な態様であってもよい。
【００４３】
なお、他の機器の本体
【符号の説明】
【００４４】
１…オーディオ装置
１Ａ…リモコン
２…プレーヤ
２Ａ…リモコン
３…テレビ
３Ａ…リモコン
１１…ＨＤＭＩデバイス
１２…ＨＤＭＩＩ／Ｆ
１３…ＨＤＭＩＩ／Ｆ
１４…マイコン
１５…タイマ
１６…ＵＩ
１７…リモコン信号受信部
【図１】
2012151700.tif 000003
【図２】
2012151700.tif 000004
【図３】
2012151700.tif 000005
【図４】
2012151700.tif 000006
【図５】
2012151700.tif 000007